(57)【要約】【課題】  本考案は、建物を構成する部品の種類及び部品数が少なく、組立分解作業が非常に容易であって、シェルター、物置、個室等として好適に使用し得る組立式建物を提供することを目的とする。【解決手段】  床２１、壁２２ａ〜２２ｄ、及び天井２３が各々複数のパネル部材１２を面状に結合してなる結合板部材３で構成され、結合板部材３が連結部材４０ａ〜４０ｃを介して連結された組立分解可能な建物であって、複数のパネル部材１２が同一の長方形状であり、結合板部材３すなわち床２１、壁２２ａ〜２２ｄ、及び天井２３に、少なくとも二方をパネル部材１２の縁で囲まれた開口部２４が形成される組立式建物１である。【選択図】  図１ 
0003112386.tif 000002
【実用新案登録請求の範囲】
【請求項１】
床、壁、及び天井が、各々複数のパネル部材を面状に結合してなる結合板部材で構成され、該結合板部材が連結部材を介して連結された組立分解可能な建物であって、
前記複数のパネル部材が同一の長方形状であり、
前記結合板部材に、少なくとも二方を前記パネル部材の縁で囲まれた開口部が形成される組立式建物。
【請求項２】
前記パネル部材の縦横比が１：ｎ（２≦ｎ≦５の自然数）である請求項１に記載の組立式建物。
【請求項３】
前記連結部材が、隣接する前記結合板部材の端面で形成される凹みを満たすことによって、角部及び辺部が面取りされた立方体形状又は直方体形状をなす請求項１又は請求項２に記載の組立式建物。
【請求項４】
少なくとも一の前記開口部に扉ユニットが挿設され、他の前記開口部に窓ユニット、換気ユニット、閉鎖ユニットのうちから選択される１以上の挿設ユニットが挿設された請求項１乃至請求項３のいずれかに記載の組立式建物。
【考案の詳細な説明】
【技術分野】
【０００１】
本考案は、組立分解可能な組立式建物であって、特にシェルター、物置、個室等として好適に使用し得る組立式建物に関する。
【背景技術】
【０００２】
従来から、組立分解を可能とした建物は種々開示されている（例えば、特許文献１及び特許文献２参照。）。特許文献１に開示された野営用組立て家屋は、端面に接合部を備えた複数のパネルを相互に接合することにより当該家屋の床、壁、及び屋根が構成されている。また、特許文献２に開示された個室ボックスは、天井パネルと、床パネルと、前後左右の壁パネルをボルトとナットによって接合し、組み立てられている。
【特許文献１】特開平７−１６６７１９号公報
【特許文献２】特開２００４−１５０２５５号公報
【考案の開示】
【考案が解決しようとする課題】
【０００３】
しかし、特許文献１及び特許文献２に開示された何れの建物も、当該建物を構成する部品数が多いため、組立て及び分解の作業が煩雑である。特に、特許文献１に開示された野営用組立て家屋においては、各パネルの備える接合部の数及び位置が、床、壁、及び屋根を構成する際にどこの位置に組み込まれるかによって異なるため、当該家屋を組み立てる際には、各パネルの接合部の数及び位置に注意を払う必要がある。また、建物を構成する部品の種類及び数が多くなると、建物自体のコストも高くなる。
【０００４】
そこで本考案は、建物を構成する部品の種類及び部品数が少なく、組立分解作業が非常に容易であって、シェルター、物置、個室等として好適に使用し得る組立式建物を提供することを目的とする。
【課題を解決するための手段】
【０００５】
即ち、本考案の要旨とするところは、床、壁、及び天井が、各々複数のパネル部材を面状に結合してなる結合板部材で構成され、該結合板部材が連結部材を介して連結された組立分解可能な建物であって、前記複数のパネル部材が同一の長方形状であり、前記結合板部材に、少なくとも二方を前記パネル部材の縁で囲まれた開口部が形成される組立式建物である。
【０００６】
かかる組立式建物において、前記パネル部材の縦横比は、１：ｎ（ｎは２≦５の自然数）であることが好ましい。
【０００７】
かかる組立式建物において、前記連結部材が、隣接する前記結合板部材の端面で形成される凹みを満たすことによって、本考案の組立式建物が、角部及び辺部が面取りされた立方体形状又は直方体形状をなすことにある。
【０００８】
かかる組立式建物において、少なくとも一の前記開口部には扉ユニットが挿設され、他の前記開口部には、窓ユニット、換気ユニット、閉鎖ユニットのうちから選択される１以上の挿設ユニットが挿設され得る。
【考案の効果】
【０００９】
本考案の組立式建物によると、部品の種類及び部品数が少ないため、組立分解作業が非常に容易である。特に、本考案の組立式建物に係る床、壁及び天井を、同一の長方形状の複数のパネル部材を面状に結合してなる結合板部材で構成した場合には、組立作業が容易に行い得ると共に、組立式建物のコストも抑制できる。
【００１０】
また、本考案の組立式建物によると、複数のパネル部材の結合態様に応じて、床、壁及び天井の各々の所定箇所に開口部を容易に形成することができる。そして、当該開口部に、扉ユニットや窓ユニットなどの挿設ユニットが挿設されることによって、扉や窓を備えた組立式建物を容易に得ることができる。
【００１１】
更に、本考案の組立式建物に係る連結部材が、隣接する結合板部材の端面で形成される凹みを満たすことによって、角部及び辺部が面取りされた立方体形状又は直方体形状をなす、美観に優れた組立式建物が得られる。
【考案を実施するための最良の形態】
【００１２】
以下、本考案の実施形態を図面に基づいて説明するが、本考案の実施形態は以下に示したものに限定されない。
【００１３】
図１に、本実施の形態に係る組立式建物を示す。図１に示した組立式建物１は、床２１、前後左右の壁２２ａ〜２２ｄ、及び天井２３によって構成された組立分解可能な建物であって、床２１、壁２２及び天井２３は、各々複数の同一形状のパネル部材１２を面状に結合してなる結合板部材３で構成されている。また、結合板部材３で構成される床２１、壁２２、及び天井２３は、各々連結部材４０ａ〜４０ｃを介して連結されている。なお、図２（ａ）には組立式建物１の正面図、すなわち壁２２ａの一態様、図２（ｂ）には組立式建物１の左側面図（壁２２ｃの一態様）、図２（ｃ）には組立式建物１の底面図（床２１の一態様）がそれぞれ示されており、組立式建物１の背面図（壁２２ｂの一態様）は図２（ｂ）の左側面図と同様に表れる。
【００１４】
組立式建物１に係る床２１、前後左右の壁２２ａ〜２２ｄ、及び天井２３は、図３に示した長方形状のパネル部材１２を面状に結合することによって得られる結合板部材３で各々構成される。パネル部材１２は、縦１ｍ×横２ｍの長方形、すなわち短辺と長辺の長さの比（以下「縦横比」という。）が１：２である長方形のパネル３２と、パネル３２の裏面側に、パネル３２の外周縁部に沿って周設される補強板３４、及び補強板３４によってパネル３２の裏面側に形成された枠体の内側に格子状に配設される補強板３５とを備える。補強板３４には、所定の間隔を置いて貫通孔３６が設けられている。そして、複数のパネル部材１２を隣接させて、相互に隣接するパネル部材１２が各々備える貫通孔３６同士を導通させ、この導通された貫通孔３６にボルトを挿通してナットを螺合することによってパネル部材１２同士が面状に結合されて結合板部材３をなし、この結合板部材３が床２１、前後左右の壁２２ａ〜２２ｄ、及び天井２３を構成することとなる。
【００１５】
また、本実施の形態に係る組立式建物１では、床２１、前後左右の壁２２ａ〜２２ｄ、及び天井２３が各々４枚の同一形状のパネル部材１２を結合することによって形成されており、これら４枚のパネル部材１２の結合態様に応じて、床２１、前後左右の壁２２ａ〜２２ｄ、及び天井２３の任意箇所に、少なくとも二方をパネル部材１２の縁で囲まれた開口部２４が各々形成されることとなる。つまり、壁２２ａは、図１及び図２（ａ）に示したように、壁２２ａの右下隅に、二方をパネル部材１２の縁で囲まれた開口部２４が形成されるように４枚のパネル部材１２が結合されており、床２１、壁２２ｂ〜２２ｄ、及び天井２３は、各々の中央部に、四方をパネル部材１２の縁で囲まれた開口部２４が形成されるように４枚のパネル部材１２が結合されている。
【００１６】
パネル部材１２を相互に結合して形成された結合板部材３（床２１、前後左右の壁２２ａ〜２２ｄ、及び天井２３）は、連結部材４０ａ〜４０ｃを介して相互に連結されている。ここで、連結部材４０ａは、図４に示すように、長方形のパネル４１ａ及び２枚の連結用パネル４２ａにより構成された、外断面形状が直角二等辺三角形をなす三角柱状部材である。具体的には、まず長方形の２枚の連結用パネル４２ａを、各々の一の長辺同士を接合することによりＬ字状部材を形成し、他の長辺同士で形成された開口部を覆うように長方形のパネル４１ａを接合することによって、外断面形状が直角二等辺三角形をなす中空の三角柱状部材、すなわち連結部材４０ａが得られる。また、本実施の形態に係る連結部材４０ａの長手方向の長さ、すなわちパネル４１ａ及び連結用パネル４２ａの長辺の長さは、パネル部材１２の短手方向の長さと同一に設定され、更に連結用パネル４２ａには、パネル部材１２の短手方向の補強板３４に設けられた貫通孔３６と同一間隔で貫通孔３７が設けられている。なお、連結部材４０ｂも、連結部材４０ａと同様に構成された中空の三角柱状部材であるが、連結部材４０ｂの長手方向の長さは、パネル部材１２の長手方向の長さと同一に設定されている。また、連結部材４０ｂが備える貫通孔３７は、パネル部材１２の長手方向の補強板３４に設けられた貫通孔３６と同一間隔で設けられている。更に、連結部材４０ａ、４０ｂの内部には、横断面方向に三角形の補強板（不図示）が、適当な間隔をあけて３〜５枚配設されている。
【００１７】
連結部材４０ｃについても、基本的には連結部材４０ａ、４０ｂと同様に構成された中空の三角柱状部材である。すなわち図５に示すように、長方形のパネル４１ｂ及び２枚の連結用パネル４２ｂにより構成され、外断面形状が直角二等辺三角形をなすようにこれらが相互に接合されている。更に連結部材４０ｃにおける長手方向の一方の端部には、パネル４１ｂ及び連結用パネル４２ｂの各々の短辺によって、２枚の連結用パネル４２ｂの接合箇所側からパネル４１ｂ側へ斜め下方に向かって正三角形の傾斜面が形成され、この傾斜面にパネル４１ｃが接合されている。パネル４１ｂの長手方向の長さは、パネル部材１２の短手方向の長さの１／２に設定され、連結用パネル４２ｂにも貫通孔３７が設けられている。また、連結部材４０ｃの内部にも、横断面方向に三角形の補強板（不図示）が、適当な間隔をあけて２〜３枚配設されている。
【００１８】
上記の連結部材４０ａ〜４０ｃを介して、組立式建物１に係る結合板部材３で構成された床２１、前後左右の壁２２ａ〜２２ｄ、及び天井２３が相互に連結される。図１に示したように、例えば天井２３と壁２２ａが連結部材４０ａ、４０ｂを介して相互に連結される。連結方法としては、パネル部材１２同士を結合する場合と同様、ボルトとナットにより連結することができる。つまり、天井２３及び壁２２ａを構成するパネル部材１２が備える貫通孔３６と連結部材４０ａ、４０ｂが備える貫通孔３７とを導通させ、この導通された貫通孔３６、３７にボルトを挿通してナットを螺合することによって天井２３と壁２２ａが連結される。
【００１９】
また、前後左右の壁２２ａ〜２２ｄは、図１〜図２（ｂ）及び図６に示したように、連結部材４０ｂ、４０ｃを介して相互に連結される。本実施の形態では、隣接する壁同士の連結箇所において、連結部材４０ｂを上下から挟むようにして２つの連結部材４０ｃが配設されている。つまり、壁２２ａ〜２２ｄの各々の連結箇所における上下両端部に連結部材４０ｃを配設することによって、組立式建物１における８つの角部に連結部材４０ｃが備えるパネル４１ｃが配設されることとなるため、組立式建物１の角部が滑らかに形成され、美観に優れた組立式建物１が得られる。
【００２０】
なお、連結部材４０ａ〜４０ｃは、図４にも示したように中空の三角柱状部材であるため、貫通孔３７に挿通されたボルトに連結部材４０ａ等の内側でナットを螺合する、或いは連結部材４０ａ等の内側から貫通孔３７へボルトを挿通するといった作業は非常に困難である。従って、連結部材４０ａ〜４０ｃを作成する際、連結用パネル４２ａの貫通孔３７の位置に予めナットを接合しておくことが好ましい。或いは、貫通孔３７が設けられる位置に、貫通孔３６に挿通可能であって、且つ螺子溝を設けた棒状部材（不図示）が突設されてもよい。この態様によると、例えば、棒状部材を天井２３及び壁２２ａを構成するパネル部材１２が備える貫通孔３６に挿通してナットを螺合することによって、天井２３と壁２２ａとを連結部材４０ａ等を介して連結することができる。更には、連結部材４０ａ〜４０ｃを中実の三角柱状部材とし、パネル部材１２側から貫通孔３６に挿通されたボルトを中実の連結部材４０ａ’〜４０ｃ’（不図示）にねじ込むようにして、床２１、前後左右の壁２２ａ〜２２ｄ、及び天井２３が相互に連結されてもよい。
【００２１】
以上のように、パネル部材１２を相互に結合して形成された結合板部材３で構成された床２１、前後左右の壁２２ａ〜２２ｄ、及び天井２３が、連結部材４０ａ〜４０ｃを介して相互に連結されることによって、組立式建物１が形成される。そして、床２１、前後左右の壁２２ａ〜２２ｄ、及び天井２３に各々形成された開口部２４に扉ユニット、窓ユニット、換気ユニット、閉鎖ユニット等から使用態様に応じて任意に選択される挿設ユニットを挿設することによって組立式建物１が完成する。例えば、図７に示すように、組立式建物１に係る壁２２ａの開口部２４には扉ユニット７０が挿設され、扉ユニット７０は組立式建物１の出入口となる。また、壁２２ｄの開口部２４には、挿設ユニットのうち窓ユニット７１が選択されて挿設され、天井２３の開口部２４には、閉鎖ユニット７２が挿設されている。なお、壁２２ｂ、２２ｃの開口部２４には、壁２２ｄと同様に窓ユニット７１が挿設され、床２１の開口部２４には、天井２３と同様に閉鎖ユニット７２が挿設されている。
【００２２】
本実施の形態に係る組立式建物１では、床２１、前後左右の壁２２ａ〜２２ｄ、及び天井２３に形成される開口部２４が何れも同一の大きさとなるため、扉ユニット７０や、窓ユニット７１、閉鎖ユニット７２、換気ユニット（不図示）等の挿設ユニットを、何れも開口部２４と同一の大きさで形成することができると共に、組立式建物１の組立て時に、使用態様に応じて任意に選択された挿設ユニットを開口部２４に挿設することができる。つまり、天井２３の開口部２４に窓ユニット７１や換気ユニットを挿設してもよく、組立式建物１を地下に埋設して地下シェルターとして使用する場合には、天井２３の開口部２４に扉ユニット７０を挿設し、他の全ての開口部２４に閉鎖ユニット７２を挿設してもよい。また、組立式建物１の壁２２ｄを、例えば図８に示すようなパネル部材１２の結合態様で形成することによって、開口部２４を壁２２ｅにおける右上隅に形成することができ、この開口部２４に窓ユニット７１や換気ユニット等が挿設されてもよい。
【００２３】
以上に詳述したとおり、本実施の形態に係る組立式建物１は、主に、床２１、前後左右の壁２２ａ〜２２ｄ、及び天井２３を構成するための複数の同一の長方形状のパネル部材１２と、床２１等を相互に連結するための連結部材４０ａ〜４０ｃとによって構成されており、部品の種類及び部品数が少ないために、組立分解作業が非常に容易である。また、床２１、前後左右の壁２２ａ〜２２ｄ、及び天井２３を構成する結合板部材３を形成するために同一の長方形状のパネル部材１２を使用し、連結部材４０ａ〜４０ｃも略同様の構成とすることによって、組立作業が容易に行い得ると共に、部品コストが抑制できるため、組立式建物１自体のコストが抑制できる。
【００２４】
また、複数のパネル部材１２の結合態様に応じて、床２１、前後左右の壁２２ａ〜２２ｄ、及び天井２３の各々の所定箇所に開口部２４を容易に形成することができる。そして、この開口部２４に、扉ユニット７０や窓ユニット７１等の挿設ユニットを挿設することによって、扉や窓を備えた組立式建物１を容易に得ることができる。
【００２５】
更に、組立式建物１に係る床２１等を構成する結合板部材３同士を、連結部材４０ａ〜４０ｃのような形状を備える連結部材で連結することによって、隣接する結合板部材３の端面、すなわちパネル部材１２の補強板３４で形成される凹みが満たされ、角部及び辺部が面取りされた立方体形状をなす組立式建物１が得られる。特に、連結部材４０ａや連結部材４０ｃが備えるパネル４１ａ、４１ｂ、４１ｃが組立式建物１の外側に面するため、床２１等の連結箇所が組立式建物１の外側からは目視できず、美観に優れた組立式建物１を得ることができる。
【００２６】
また、パネル部材１２や連結部材４０ａ〜４０ｃに鋼材を使用することによって、耐震性・耐火性・耐風性に優れた組立式建物１が得られる。
【００２７】
以上、本実施の形態に係る組立式建物１について詳述したが、本考案は上述の態様に限定されない。つまり、組立式建物に係る床、壁、及び屋根を構成する結合板部材を形成するために使用されるパネル部材１２の結合枚数は４枚に限定されず、組立式建物の全体形状も立方体形状に限定されない。例えば、図９に示す組立式建物２のように、壁２２ｆ、２２ｇ、床２１ａ、天井２３ａを各々５枚のパネル部材１２を面上に結合して形成し、壁２２ｆ、２２ｇ、床２１ａ、天井２３ａの各々にパネル部材１２と同じ大きさの開口部２４ａを形成した、角部及び辺部が面取りされた直方体形状をなす態様であってもよい。この態様では、開口部２４ａがパネル部材１２と同じ大きさとなるため、図９に示した天井２３ａのように、閉鎖ユニット７２としてパネル部材１２をそのまま利用することができる。
【００２８】
また、壁２２ｆ、２２ｇ等におけるパネル部材１２の結合態様も図示したものに限定されず、壁２２ａに形成された開口部２４と同じ大きさの開口部２４が２箇所に形成されるようにパネル部材１２を結合してもよい。例えば、図１０に示したようにパネル部材１２を結合することによって、開口部２４が壁２２ｇ’に２箇所形成されるため、これら２箇所の開口部２４に図７で示した窓ユニット７１を挿設することができる。或いは一方の開口部２４に窓ユニット７１を挿設し、他方の開口部２４に換気ユニットを挿設することもできる。
【００２９】
更に、本考案に係る連結部材は、各図に示した連結部材４０ａ〜４０ｃの態様に限定されない。例えば、組立式建物１の態様において、連結部材４０ａ（図４参照）と同様の構成であって、且つ長手方向の長さがパネル部材１２の長辺と短辺の合計長さと同一に設定された連結部材４０ｄ（不図示）を使用することによって、床２１、前後左右の壁２２ａ〜２２ｄ、及び天井２３を各々１つの連結部材４０ｄを介して相互に連結することができ、組立分解作業が更に容易になると共に、組立式建物１を構成する部品の種類及び部品数の削減も図られる。なお、連結部材４０ｄを使用した場合には、組立式建物１における８つの角部において、隣接する結合板部材３の端面で形成される凹みが満たされず、連結箇所が組立式建物１の外側から見えてしまうため、美観を損なうこととなる。そこで、この角部に、連結部材４０ｃが備えるパネル４１ｃと同形状のパネルを接合することによって、角部における接合箇所が覆われ、組立式建物１の美観を損なうことがない。
【００３０】
或いは、組立式建物１の態様において、連結部材４０ｃ（図５参照）と同様の構成であって、且つパネル４１ｂの長手方向の長さが、パネル部材１２の短手方向の長さの１．５倍に設定された連結部材４０ｅ（不図示）を使用することによって、前後左右の壁２２ａ〜２２ｄが各々２つの連結部材４０ｅを介して相互に連結することも可能となる。
【００３１】
また、上記の連結部材４０ａ〜４０ｅは、何れも外断面形状が直角二等辺三角形をなしているが、例えば、外断面形状が扇形をなすように、連結部材４０ａ等に係るパネル４１ａ〜４１ｃが曲面で構成されてもよい。このように、連結部材４０ａ等に係るパネル４１ａ〜４１ｃが曲面で構成された連結部材を介して結合板部材３を相互に連結することによって、角部及び辺部が湾曲状に面取りされた立方体形状又は直方体形状をなす、美観に優れた組立式建物が得られる。
【００３２】
また更に、上述した連結部材４０ａ〜４０ｅ等は、隣接する結合板部材３の端面で形成される凹みを満たすことができるため、角部及び辺部が面取りされた立方体形状又は直方体形状をなす、美観に優れた組立式建物が得られる点で好ましいが、本考案に係る連結部材は、連結部材４０ａ〜４０ｅに限定されず、角柱状部材やＬ字状部材等であってもよい。
【００３３】
また、組立式建物１に係るパネル部材１２は、縦横比が１：２（１ｍ×２ｍ）の長方形状であるが、本考案に係るパネル部材は、長方形状であれば縦横比は特に限定されず、１：３、２：３等、何れであってもよい。また、パネル部材のサイズも、組立式建物の設置場所や使用目的に応じて、０．５ｍ×１ｍ（縦横比＝１：２）、１ｍ×３ｍ（縦横比＝１：３）等、任意に設定することができる。つまり、長方形状のパネル部材であれば、図１に示した壁２２ｄのように、各パネル部材１２を同一面で環状に結合することによって、開口部２４を結合板部材３の中央部に容易に形成することができる。従って、この開口部２４に、例えば窓ユニット７１を挿設することによって、本考案の組立式建物に窓を容易に設けることができる。
【００３４】
但し、縦横比が２：３や３：４といった長方形状のパネル部材を使用した場合には、壁２２ａ（図１参照）や壁２２ｅ（図８参照）のように、開口部２４を壁２２ａ等における隅部に設けることができない。つまり、組立式建物の通常の使用態様において、出入口となる扉ユニット７０を挿設するのに適した箇所に開口部２４を形成することができない。そこで、本考案の組立式建物に係るパネル部材の縦横比は１：ｎ（１ｍ×２ｍ、０．５ｍ×１．５ｍ等）であることが好ましい。パネル部材の縦横比を１：ｎとすることにより、パネル部材１２の結合態様に応じて、開口部２４を結合板部材３における中央部はもちろん、隅部にも形成することできる。更に、適当な大きさの開口部２４を形成するためには、ｎの値を２≦ｎ≦５の自然数とすることが好ましい。ここで、開口部２４の適当な大きさとは、少なくとも結合板部材３を構成するパネル部材１２の総面積未満であることを意味する。すなわち、ｎの値を上記の範囲で設定することによって、壁２２ｄ（図１参照）のように開口部２４を結合板部材３の中央部に形成する結合態様において、開口部２４の大きさを、結合板部材３を構成する４枚のパネル部材１２の総面積未満とすることができる。
【００３５】
なお、例えば縦横比が２：３（１ｍ×１．５ｍ等）のパネル部材１２ａを使用する場合には、図１１に示す組立式建物１ａのように、床２１ｂや天井２３ｂ、壁２２ｊ等については、組立式建物１に係る壁２２ｄと同様に、４枚のパネル部材１２ａを、天井２３ｂ等の各々の中央部に開口部２４ｂが形成されるように結合する。また、壁２２ｈについては、３枚のパネル部材１２ａを面状に結合して、Ｌ字状の開口部２５を形成する。この開口部２５は、天井２３ｂ等に形成された開口部２４ｂと同サイズの開口部２５ａと、パネル部材１２ａと同サイズの開口部２５ｂとを合わせたものである。従って、例えば図１２に示すように、壁２２ｈの開口部２５のうち、開口部２５ｂには、パネル部材１２ａと同サイズの扉ユニット７０ａを挿設し、開口部２５ａには、開口部２４ｂに挿設可能な閉鎖ユニット７２ａを挿設することによって、壁２２ｈの右下隅に出入口用の扉が設けられた組立式建物１ａが得られる。
【００３６】
更に、組立式建物１、１ａ、２を構成するパネル部材１２、１２ａや連結部材４０ａ〜４０ｅ等の各部材には鋼材を使用することが、組立式建物１等の耐震性、耐火性、耐風性、耐久性等が十二分に確保できる点で好ましいが、パネル部材１２、１２ａに軽量パネルや木材等が使用されてもよく、連結部材４０ａ等がアルミや木材等を使用して構成されてもよい。
【００３７】
また、本考案の組立式建物の設置方法も特に限定されず、地面に直接設置したり、地中に埋設したりしてもよく、或いは組立式建物に係る床を載置可能な基台を別途形成して地面に予め設置し、この基台上に組立式建物を載置するという設置方法であってもよい。
【００３８】
以上、本考案の組立式建物の種々の態様について説明したが、本考案はその趣旨を逸脱しない範囲で、当業者の知識に基づき種々の改良、修正、変形を加えた態様で実施し得るものである。
【図面の簡単な説明】
【００３９】
【図１】本考案の組立式建物の一態様を示す斜視図である。
【図２（ａ）】図１に示した組立式建物の正面図である。
【図２（ｂ）】図１に示した組立式建物の左側面図である。
【図２（ｃ）】図１に示した組立式建物の底面図である。
【図３】本考案に係るパネル部材の斜視図であり、（ａ）は表側、（ｂ）は裏側である。
【図４】本考案に係る連結部材の一態様を示す斜視図であり、（ａ）は表側、（ｂ）は裏側である。
【図５】本考案に係る連結部材の他態様を示す図であり、（ａ）は正面図、（ｂ）は右側面図、（ｃ）は背面図である。
【図６】図１に示した組立式建物に、図５に示した連結部材が取り付けられた状態を示す要部拡大模式図である。
【図７】図１に示した組立式建物に、扉ユニット、窓ユニット、閉鎖ユニットが挿設された状態を示す斜視図である。
【図８】図１に示した組立式建物に係る壁の他態様を示す図であり。
【図９】本考案の組立式建物の他態様を示す斜視図である。
【図１０】図９に示した組立式建物に係る壁の他態様を示す図である。
【図１１】本考案の組立式建物のまた別の態様を示す斜視図である。
【図１２】図１１に示した組立式建物に扉ユニット、閉鎖ユニットが挿設された状態を示す正面図である。
【符号の説明】
【００４０】
１、１ａ、２：組立式建物
３：結合板部材
１２、１２ａ：パネル部材
２１：床
２２ａ〜２２ｈ、２２ｊ：壁
２３：天井
２４、２４ａ、２４ｂ、２５：開口部
３４、３５：補強板
３６、３７：貫通孔
４０ａ〜４０ｃ：連結部材
７０、７０ａ：扉ユニット
７１、７１ａ：窓ユニット
７２、７２ａ：閉鎖ユニット
【図１】
0003112386.tif 000003
【図２（ａ）】
0003112386.tif 000004
【図２（ｂ）】
0003112386.tif 000005
【図２（ｃ）】
0003112386.tif 000006
【図３】
0003112386.tif 000007
【図４】
0003112386.tif 000008
【図５】
0003112386.tif 000009
【図６】
0003112386.tif 000010
【図７】
0003112386.tif 000011
【図８】
0003112386.tif 000012
【図９】
0003112386.tif 000013
【図１０】
0003112386.tif 000014
【図１１】
0003112386.tif 000015
【図１２】
0003112386.tif 000016